(57)【特許請求の範囲】
【請求項１】
搭載ヘッドにより電子部品を吸着保持する部品供給位置の下方に配設されているフィーダベースに、複数のフィーダを並列に装着し、各フィーダにより対応するリールに巻回されているキャリアテープを順次送り出して該キャリアテープに収容されている電子部品を前記部品供給位置に供給する表面実装装置において、
前記フィーダベース上に、前記フィーダの列方向に沿って前方の部品供給位置から後方の引出方向に配設されたレールガイドと、該レールガイドの後方に配設された支持部材とを備えていると共に、
前記フィーダが、レールガイドに摺動可能に係合されたレールと、該レールを介してレールガイドに案内され後方に引き出されると、前記支持部材に当接し、上方に支持される当接部とを備えており、
更に、前記当接部は、前記レールの後端部の下方に位置し、フィーダ本体に一体形成されていることを特徴とする表面実装装置。
【請求項２】
前記当接部が、前記フィーダの後方引き出し時に前記支持部材に係止され、該フィーダを停止させるストッパ部を有していることを特徴とする請求項１に記載の表面実装装置。
【発明の詳細な説明】
【技術分野】
【０００１】
本発明は、表面実装装置、特に装置本体からテープフィーダを取り外すことなく、リールに巻回されているキャリアテープを交換する際に適用して好適な部品実装装置に関する。
【背景技術】
【０００２】
図１は、従来の表面実装装置１０に多数列のフィーダ１２が装着された様子を示す要部斜視図である。
【０００３】
この図に示されるように、従来の表面実装装置１０では、部品供給位置Ａに配設されているフィーダベース１４に、部品種に応じて多数列のフィーダ１２が装着されている。各フィーダ１２の先端近傍に設定されている部品供給位置Ａには、図中右方向の下方に位置するリール１６から順次繰り出される、部品が収容されているキャリアテープＴにより各種電子部品が供給される。
【０００４】
このように供給された電子部品は白抜き矢印方向に移動される搭載ヘッド１８により吸着、保持される。その後、電子部品を保持した搭載ヘッド１８は、図示しない基板上に移動されることにより該電子部品の搭載が行なわれている。なお、便宜上部品供給位置Ａをフィーダベース１４の下から矢印で指し示しているが、実際にはフィーダ１２の直上にある。又、図中符号１０Ａは、稼動時に使用される危険防止用の安全カバーである。
【０００５】
このように、表面実装装置１０では、順次基板上に電子部品を搭載する生産を継続すると、リール１６に巻回されているキャリアテープが消費されるため、適宜対応するリール１６の交換が行なわれている。
【０００６】
このテープ交換に際しては、生産時に装着されていた多数列のフィーダ１２の中から符号１２Ａで示すように該当するフィーダを取り外す必要がある。
【０００７】
図２には、このリール交換のために該当するフィーダ１２Ａを取り外した様子を示すように、搭載ヘッド１８はフィーダベース１４から取り外す際にフィーダ１２Ａと機械的に干渉するおそれがあるため、危険防止の上から一旦生産を中止して部品供給位置Ａの上方から退避させ、更に安全カバー１０Ａを開いた後、矢印方向に引き出して取り外すようになっている。
【０００８】
なお、特許文献１には、リールの交換を容易・迅速に行なうフィーダに関する技術が開示されており、この場合はフィーダを取り付けたままリール交換を行なっている。
【０００９】
【特許文献１】特許第３８２０９２７号公報
【発明の開示】
【発明が解決しようとする課題】
【００１０】
しかしながら、前記図１、図２に示した従来の表面実装装置では、リール交換を行なう場合には、フィーダベース１４から該当するフィーダ１２Ａを取り外した後、該フィーダ１２Ａを装置本体とは別の作業台（図示せず）に置かなければ安定したリール交換作業ができないため、作業性が悪いという問題があった。
【００１１】
又、特許文献１に開示されている技術では、フィーダを装置本体に取り付けたまま作業を行なっているため、リール交換は必ずしも容易・迅速に行なうことができないというのが実情である。
【００１２】
本発明は、前記従来の問題点を解決するべくなされたもので、部品供給位置に対するフィーダの着脱を容易且つ円滑に行なうことができ、しかもフィーダベースから完全に取り外すことなく容易且つ迅速にリール交換を行なうことができる表面実装装置を提供することを課題とする。
【課題を解決するための手段】
【００１３】
本発明は、搭載ヘッドにより電子部品を吸着保持する部品供給位置の下方に配設されているフィーダベースに、複数のフィーダを並列に装着し、各フィーダにより対応するリールに巻回されているキャリアテープを順次送り出して該キャリアテープに収容されている電子部品を前記部品供給位置に供給する表面実装装置において、前記フィーダベース上に、前記フィーダの列方向に沿って前方の部品供給位置から後方の引出方向に配設されたレールガイドと、該レールガイドの後方に配設された支持部材とを備えていると共に、前記フィーダが、レールガイドに摺動可能に係合されたレールと、該レールを介してレールガイドに案内され後方に引き出されると、前記支持部材に当接し、上方に支持される当接部とを備えており、更に、前記当接部は、前記レールの後端部の下方に位置し、フィーダ本体に一体形成されていることにより、前記課題を解決したものである。
【発明の効果】
【００１４】
本発明によれば、フィーダを手前に引き出すだけでレールガイドに係合されているレールを介してフィーダを案内させ、該フィーダを支持部へ後退移動させることにより該支持部に当接させ固定できるため、該リール交換を容易に行なうことができると共に、交換後にフィーダをレールガイドに沿って押し込むだけで、円滑に元に部品供給位置に装着し直すことができる。
【発明を実施するための最良の形態】
【００１５】
以下、図面を参照して、本発明の実施の形態について詳細に説明する。
【００１６】
図３は、本発明に係る一実施形態の表面実装装置の要部を示す側面図である。なお、ここでは、前記図１、図２に示したものと基本的に同一の機能を有するものには同一の符号を使用する。
【００１７】
本実施形態の表面実装装置１０は、搭載ヘッド１８により電子部品（図示せず）を吸着保持する部品供給位置Ａの下方に配設されたフィーダベース１４に、複数のフィーダ１２を並列に装着し、該フィーダ１２によりリール１６に巻回されているキャリアテープＴを順次送り出して前記部品供給位置Ａに該キャリアテープに収容されている電子部品を供給するようになっている。
【００１８】
ここで、フィーダベース１４は、フィーダ１２を一括交換する際に使用する、いわゆる交換台車の載置台に相当する。又、便宜上部品供給位置Ａをフィーダ１２の上部に示してあるが、実際の部品供給位置Ａはフィーダ１２の直上に位置する。
【００１９】
本実施形態では、前記フィーダベース１４上に、並列に装着されている複数の前記フィーダ１２の列方向に沿って前方の部品供給位置Ａの近傍から後方の引出方向に配設されたレールガイド２０と、該レールガイド２０の後方に配設された、リール１６の回転中心の軸方向に沿って延びる、該リール１６から繰り出されるキャリアテープＴを案内する円柱状のテープガイド（支持部材）２２とを備えている。
【００２０】
又、前記フィーダ１２が、その下端部にレールガイド２０に係合されたレール２４を介して案内されて後方に引き出されると、前記支持部材に当接し、上方に支持される当接部２６を備えている。
【００２１】
レールガイド２０とレール２４の係合構造の図示は省略するが、レールガイド２０にレール２４が案内方向に摺動可能に嵌挿され、上方への動きが規制される構造になっている。なお、上記レールガイド２０は、フィーダ１２の列方向（図中左右方向）に２つに分割されて配設されているが、連続形成したものであっても良い。
【００２２】
上記当接部２６は、下端がほぼ水平な当接辺になっており、先端部が下方に延びている鉤状のストッパ部２６Ａになっている。
【００２３】
以上のように、本実施形態においては、フィーダベース１４上に配設されているレールガイド２０に沿ってフィーダ１２を前後方向（図中、左右方向）にスライドさせることができると共に、レール２４に係合して該フィーダ１２に対して上下方向の動きを抑制する構造のレールガイド２０を設け、更にフィーダ１２を後方にスライドすることにより、リール１６の交換が容易な位置にフィーダ１２を載せることができる支持部材を兼ねたテープガイド２２を設けるようにしてある。
【００２４】
従って、図３に示されている生産状態のままで、即ち安全カバー１０Ａを開くことなく、しかも搭載ヘッド１８を退避させることなく、単にフィーダ１２を図４に示す当接部２６がテープガイド２２に当接する位置まで引き出すだけで、ストッパ部２６Ａにより交換位置に停止され、該テープガイド２２上に載せることができるので、リール１６の交換を簡単に行なうことができる。
【００２５】
以上詳述したように、本実施形態によれば、フィーダ１２を多列に装着して電子部品の搭載を行なう表面実装装置１０において、任意のフィーダ１２を装置本体とは別の置き台に載せることなく、リール交換を行なうことができるので、作業効率の向上を図ることができる。
【００２６】
又、テープ交換時にフィーダ１２を載せて支持する支持部材としてテープガイド２２を利用するようにしたので、支持部材によりテープを部品供給位置Ａに円滑に送り出すことができる利点もある。
【図面の簡単な説明】
【００２７】
【図１】従来の表面実装装置の要部を示す部分斜視図
【図２】従来の表面実装装置の問題点を示す部分斜視図
【図３】本実施形態の部品実装装置の要部を示す部分側面図
【図４】本実施形態の表面実装装置の作用を示す部分側面図
【符号の説明】
【００２８】
１０…表面実装装置
１２…フィーダ
１４…フィーダベース
１６…リール
１８…搭載ヘッド
２０…レールガイド
２２…テープガイド（支持部材）
２４…レール
２６…当接部
２６Ａ…ストッパ部
Ａ…部品供給位置
【図１】
0004969398.tif 000002
【図２】
0004969398.tif 000003
【図３】
0004969398.tif 000004
【図４】
0004969398.tif 000005